(57)【要約】【課題】携帯端末装置の外部へ出力する画像の画質を良好に保つ。【解決手段】自端末装置において情報を表示するための端末表示部１６と、前記端末表示部１６に画像を表示する処理を行う画像表示処理部１５と、前記端末表示部１６の画面より大画面で、且つ多画素数で構成される画像を出力する投影表示部18を備える。本発明に係る携帯端末装置では、投影表示部１８は、当該端末装置の外部に画像を投影表示する。【選択図】図１
2008098828.tif 000002
【特許請求の範囲】
【請求項１】
自端末装置において情報を表示するための端末表示部と、
前記端末表示部に画像を表示する処理を行う画像表示処理部と、
前記端末表示部の画面より大画面で、且つ多画素数で構成される画像を出力する画像出力手段と
を具備することを特徴とする携帯端末装置。
【請求項２】
画像出力手段は、当該端末装置の外部に画像を投影表示する投影表示部を備えることを特徴とする請求項１に記載の携帯端末装置。
【請求項３】
第１の情報を表示するための端末表示部と、
前記端末表示部に画像を表示する処理を行う画像表示処理部と、
前記第１の情報に対応付けられ、第１の情報とは異なる画素数で構成される第２の情報を出力する画像出力手段と
を具備することを特徴とする携帯端末装置。
【請求項４】
画像表示処理部は、画像出力手段が出力した画像の一部または縮小画像或いは関連する説明を端末表示部に表示することを特徴とする請求項１乃至３のいずれか１項に記載の携帯端末装置。
【請求項５】
画像表示処理部は、画像出力手段が出力する画像に関するリストを端末表示部に表示し、
表示部のリストに関する選択操作を行うための操作部と、
操作部の操作に応じて対応する画像の出力管理を行う画像管理部と
を具備することを特徴とする請求項１乃至３のいずれか１項に記載の携帯端末装置。
【発明の詳細な説明】
【技術分野】
【０００１】
この発明は、自端末装置において情報を表示するための端末表示部を有する携帯電話機やＰＤＡ（Personal Digital Assistant）などの携帯端末装置に関するものであり、当該端末表示部に表示された画像などを大写しする機能を備えるようにした携帯端末装置に関する。
【背景技術】
【０００２】
従来、ＰＤＡや携帯電話機等の携帯通信端末においては、取得したＷｅｂ画像等の表示を手軽に壁面等に投影して複数人で確認することができれば便利であるという要求から、液晶表示部の前面側に光学レンズを配した状態で、液晶表示の背面から光源により照明することで、液晶表示部の表示画像を光学レンズを介して壁面等に投影する携帯通信端末が特許文献１に開示されている。
【０００３】
また、特許文献２には、ＬＥＤ部と、光像を電気信号に変換して画像データを生成するカメラ部と、撮像対象の光像をカメラ部上に結像するためのカメラ結像用光学系と、ＬＥＤ部から出射した光を変調するための液晶パネル部とを備え、カメラ結像用光学系を、液晶パネル部から出射される光像を外部の投影面に結像して投影するための投影結像用光学系として兼用する電子機器が開示されている。
【特許文献１】特願２００５−２６０５５０号公報（図１、００２１〜００２５）
【特許文献２】特願２００６−６７４６９号公報（図１、００１３、００１４）
【発明の開示】
【発明が解決しようとする課題】
【０００４】
しかしながら、上記の機器においては、液晶パネルに表示された画像を投影するので、図１３に示されるように液晶表示部等の画面Ｓ１に比べて投影された画面Ｓ２は大きくなるが、画素数は変化がなく１画素サイズが大きくなるので、画質が低下した画像が投影されるに過ぎない。
【０００５】
従って、大画面の画像を見ることができるものの、解像度が悪く画質の低下した画像を見ることになるという不具合があった。本発明は、このような従来の携帯端末装置における問題点に鑑みなされたもので、その目的は、携帯端末装置の外部へ出力する画像の画質を良好に保つことが可能な携帯端末装置を提供することである。
【課題を解決するための手段】
【０００６】
本発明に係る携帯端末装置は、自端末装置において情報を表示するための端末表示部と、前記端末表示部に画像を表示する処理を行う画像表示処理部と、前記端末表示部の画面より大画面で、且つ多画素数で構成される画像を出力する画像出力手段とを具備することを特徴とする。
【０００７】
本発明に係る携帯端末装置では、画像出力手段は、当該端末装置の外部に画像を投影表示する投影表示部を備えることを特徴とする。
【０００８】
本発明に係る携帯端末装置は、第１の情報を表示するための端末表示部と、前記端末表示部に画像を表示する処理を行う画像表示処理部と、前記第１の情報に対応付けられ、第１の情報とは異なる画素数で構成される第２の情報を出力する画像出力手段とを具備するこことを特徴とする。
【０００９】
本発明に係る携帯端末装置では、画像表示処理部は、画像出力手段が出力した画像の一部または縮小画像或いは関連する説明を端末表示部に表示することを特徴とする。
【００１０】
本発明に係る携帯端末装置では、画像表示処理部は、画像出力手段が出力する画像に関するリストを端末表示部に表示し、表示部のリストに関する選択操作を行うための操作部と、操作部の操作に応じて対応する画像の出力管理を行う画像管理部とを具備することを特徴とする。
【発明の効果】
【００１１】
本発明に係る携帯端末装置は、端末表示部の画面より大画面で、且つ多画素数で構成される画像を出力する画像出力手段を備えるので、大画面でありながら端末表示部の画面より多画素数で構成される画像が出力され、表示部の画像を拡大して投影する場合に比べて高画質な画像を提供することができる。
【発明を実施するための最良の形態】
【００１２】
以下添付図面を参照して、本発明の実施例に係る携帯端末装置を説明する。各図において同一の構成要素には、同一の符号を付して重複する説明を省略する。図１に第１の実施例である携帯電話機１０の構成を示す。
【００１３】
この携帯電話機１０にあっては、例えばＣＰＵにより構成される制御部２０が各部を統括制御する構成となっており、制御部２０には通話回路部２１及び無線通信部２２が接続されている。通話回路部２１には、マイクロフォンなどの送話部２３とスピーカなどの受話部２４が接続され、送話部２３から入力された音声は通話回路部２１によりディジタル化及び符号化多重化されて制御部２０を介して無線通信部２２へ送られる。無線通信部２２では符号化多重化された送信用の音声信号をアップコンバートして無線信号としてアンテナ２５から送信する。
【００１４】
また、無線通信部２２は、アンテナ２５を介して信号を取り込みダウンコンバートして制御部２０へ送る。制御部２０は宛先が自装置のものであれば、受信音声信号を通話回路２１へ送る。通話回路２１は、受信音声信号の復号化及び多重からの分離を行い、アナログ音声信号として受話部２４から出力する。
【００１５】
更に、制御部２０には、画像処理部１５が接続されており、制御部２０に備えられている例えばＷｅｂブラウザが無線通信部２２を介してサーバから取り込んだ画像情報は画像処理部１５により処理されて、ＬＣＤなどにより構成される端末表示部１６用の表示データとされて端末表示部１６へ送られる。この結果、端末表示部１６には、表示用データに対応する画像が表示される。
【００１６】
本実施例では、カメラ部２６と、テレビアンテナ２７を備えたラジオ・テレビ受信部２８とが、制御部２０に接続されている。カメラ部２６により撮像した画像は、制御部２０を介して画像処理部１５へ送られ、端末表示部１６用の表示データとされて端末表示部１６へ送られる。また、テレビアンテナ２７を介してラジオ・テレビ受信部２８が受信した画像データはラジオ・テレビ受信部２８においてダウンコンバートやデマルチプレックスなどの必要な処理を受けて制御部２０を介して画像処理部１５へ送られ、端末表示部１６用の表示データとされて端末表示部１６へ送られる。
【実施例１】
【００１７】
制御部２０には、メモリ部１１が接続されており、例えば上記のカメラ部２６により撮像した画像データや、他の媒体からコピーした画像データなどを記憶しておくことができ、このメモリ部１１の画像データは、制御部２０を介して画像処理部１５へ送ることができ、送られた画像データは画像処理部１５において端末表示部１６用の表示データとされて端末表示部１６へ送られる。制御部２０は、メール機能（メールソフト）を備え、メモリ部１１の画像データ等は、制御部２０を介して無線通信部２２からアンテナ２５を介して送信することができる。
【００１８】
制御部２０に接続されたキー操作部１３には、各種のファンクションキーやダイヤルキーなどが備えられており、キー操作部１３の所要キーをユーザが操作して上記のメール機能、Ｗｅｂブラウザの稼働、ラジオ・テレビ受信部２８による受信、カメラ部２６による撮像、更には電話送受信などを行うことができる。
【００１９】
更に本実施例では、画像を出力する画像出力手段を構成する投影表示部１８が制御部２０に接続されている。投影表示部１８は、端末表示部１６の画面より大画面で、且つ端末表示部１６の画面より多画素数で構成される画像を出力するものであり、ここでは、上記端末表示部１６の画面より多画素数で構成される透過型のＬＣＤ（液晶表示器）やＤＭＤ（ディジタル・マイクロミラー・デバイス）を備えるように構成することができる。従って、投影表示部１８における画素のサイズが端末表示部１６の画素のサイズ以下で、投影表示部１８のＬＣＤのサイズが端末表示部１６のサイズより大きく構成されるものである。
【００２０】
投影表示部１８に隣接して、光源１７および光学レンズ１９が設けられており、投影表示部１８に対して筐体表面側には光源１７、投影表示部１８に対して筐体裏面側には光学レンズ１９がそれぞれ設けられている。そして、表面側から光源１７により投影表示部１８を照射し、画像に対応する光線が出射され、光学レンズ１９により所要の広がりを持たされてスクリーン６０へ投影され、スクリーン６０上には端末表示部１６の画面より大画面で、且つ端末表示部１６の画面より多画素数で構成される画像が表示される。投影表示部１８は、光学レンズ１９の歪補正機能を有することができる。
【００２１】
制御部２０は、キー操作部１３からの指示入力を受けて投影表示部１８に対する画像情報の出力を制御する。これにより、メモリ部１１に記憶された画像データ、カメラ部２６により撮像された画像データ、無線通信部２２から取り込まれた画像データ、ラジオ・テレビ受信部２８が受信した画像データが、制御部２０から投影表示部１８へ送られる。投影表示部１８へ送られる画像データは、端末表示部１６の画面より大画面で、且つ端末表示部１６の画面より多画素数で構成される画像を表示可能な画像データである。
【００２２】
以上の通りに構成された携帯電話機１０においては、図２に示されるように、第１筐体５１と第２筐体５２とがヒンジ５３を介して開閉可能に結合された構成を備える。第１筐体５１の内側には、キー操作部１３、送話部２３が設けられており、第２筐体５２の内側には、端末表示部１６、受話部２４が設けられている。
【００２３】
第２筐体５２外側の上端部にはカメラ部２６が設けられ、第２筐体５２の下端部におけるヒンジ５３付近には投影表示部１８（光源１７、光学レンズ１９を含む）が設けられる。カメラ部２６の撮像方向と投影表示部１８の投影方向は、第２筐体５２外側の前方であり、カメラ部２６により撮像した画像を端末表示部１６にて目視確認しながら撮像可能であると共に、投影表示部１８により投影した画像以外に端末表示部１６にて表示されている画像を目視確認可能となっている。なお、投影表示部１８（光源１７、光学レンズ１９を含む）が設けられる位置は図２において(１８)によって示すように、カメラ部２６付近であってよい。また、第２筐体５２の外側には、第２の端末表示部(サブＬＣＤ等)を設けても良い。第２の端末表示部は、例えば、端末表示部１６のサイズより小さいサイズとする。
【００２４】
以上の通りに構成された携帯電話機においては、端末表示部１６と投影表示部１８とに表示する画像に関し、例えば、投影表示部１８による表示を指示したことに応じて図３、図４のフローチャートに示す処理により画像を表示するように構成されている。投影表示部１８による表示を指示すると、制御部２０の制御により端末表示部１６の画面１６Ａには、表示する画像をどこから取り出すか（ここでは、取出元という）を示すメニューが図５（Ａ）に示す如く表示されると共に投影表示部１８にて画素数が多くされた同じ画像がスクリーン６０上に表示される（Ｓ１１）。勿論、この段階では、スクリーン６０上に表示を行わないようにすることもできる。端末表示部１６に表示されるメニューの内容は、スクロール操作によりスクロールすることができる。
【００２５】
ステップＳ１１の次に制御部２０は選択入力を待ち（Ｓ１２）、選択入力がなされると選択された取出元から先頭の画像を取り出して投影表示部１８からスクリーン６０上に図５（Ｂ）に示すように表示する（Ｓ１３）。このステップＳ１３における端末表示部１６の画面１６Ａには、図５（Ｂ）に示すように選択された取出元において選択し得る画像のタイトルを表示する。
【００２６】
ステップＳ１３に次いで、制御部２０は、タイトルのいずれかが選択されるのを待ち（Ｓ１４）、一つのタイトルが選択されると当該タイトル対応の画像を該当取出元から読み出して投影表示部１８に与え、これにより投影表示部１８によって画素数が多い対応画像がスクリーン６０上に表示され、端末表示部１６の画面１６Ａには、取出元において選択し得る画像のタイトルと共に表示する画像をどこから取り出す取出元が表示される（Ｓ１５）。
【００２７】
制御部２０は、ステップＳ１５に次いで、タイトルメニューから別タイトルの選択があったか（Ｓ１６）、または別の取出元の選択入力がなされたか（Ｓ１７）、一部を端末表示部１６に表示する要求が入力されたか（Ｓ１８）、縮小画像を端末表示部１６に表示する要求が入力されたか（Ｓ１９）、説明等のコメントを端末表示部１６に表示する要求が入力されたか（Ｓ２０）を監視する。
【００２８】
ステップＳ１６において、タイトルメニューから別タイトルの選択があったことが検出された場合には、制御部２０は、当該タイトル対応の画像を該当取出元から読み出して投影表示部１８に与え、これにより投影表示部１８によって画素数が多い対応画像がスクリーン６０上に表示される（Ｓ１５）。
【００２９】
ステップＳ１７において、メニューから別の取出元の選択入力がなされたことが検出された場合には、制御部２０は、選択された取出元から画像を取り出して投影表示部１８からスクリーン６０上に表示する（Ｓ１３）。また、ステップＳ１８において、一部を端末表示部１６に表示する要求が入力されたことが検出されると、制御部２０は、スクリーン６０上に表示されている画像の一部（例えば、予め画面の左上隅部分等と定める）の画像を画像処理部１５へ送り、図６に示すような画像を端末表示部１６の画面１６Ａに表示する（Ｓ２１）。この場合、端末表示部１６の画面１６Ａに表示された画像についてはスクロールにより所要の部分を表示させることができるようにしても良い。
【００３０】
ステップＳ２１に次いで、メニュー画面への復旧か終了の入力を待ち（Ｓ２４）、メニュー画面への復旧が選択されるとステップＳ１５へ戻り、終了が選択された場合には投影表示部１８による表示を停止し、端末表示部１６の表示を待ち受け画面へ切り換え（Ｓ２５）、終了となる。
【００３１】
また、ステップＳ１９において、縮小画像を端末表示部１６に表示する要求が入力されたことが検出されると、制御部２０は、スクリーン６０上に表示されている画像の表示データを画像処理部１５へ送り、画素データの間引き処理により端末表示部１６の画面１６Ａに対応する縮小画像データを作成させて、図７に示したような縮小画像を端末表示部１６の画面１６Ａに表示させる（Ｓ２２）。
【００３２】
ステップＳ２２に次いで、メニュー画面への復旧か終了の入力を待ち（Ｓ２４）、メニュー画面への復旧が選択されるとステップＳ１３へ戻り、終了が選択された場合には投影表示部１８による表示を停止し、端末表示部１６の表示を待ち受け画面へ切り換え（Ｓ２５）、終了となる。
【００３３】
更に、ステップＳ２０において、説明等のコメントを端末表示部１６に表示する要求が入力されたことが検出されると、画像対応の説明情報（撮影日時、画像番号、ファイ名、ページ、撮影場所等）がメモリ部１１に記憶されているので、制御部２０はメモリ部１１から該当の説明情報を取り出して画像処理部１５へ送り、図８に示したような説明コメントを端末表示部１６の画面１６Ａに表示させる（Ｓ２３）。
【００３４】
ステップＳ２３に次いで、メニュー画面への復旧か終了の入力を待ち（Ｓ２４）、メニュー画面への復旧が選択されるとステップＳ１３へ戻り、終了が選択された場合には投影表示部１８による表示を停止し、端末表示部１６の表示を待ち受け画面へ切り換え（Ｓ２５）、終了となる。
【００３５】
なお、説明等のコメントについては、端末表示部１６の画面１６Ａに表示させるのではなく、図９に示されるように投影表示部１８によってスクリーン６０上の領域６１に表示させるようにしても良い。また、説明等のコメントについては、端末表示部１６に表示すると共に投影表示部１８によってスクリーン６０上に表示させるようにしても良い。
【００３６】
このように本実施例では、端末表示部１６における表示と、投影表示部１８による表示とを連携させる制御を行うので、投影表示部１８による表示を多人数で見ながら、端末表示部１６における表示により投影表示部１８による表示画像の選択や説明をオペレータが行う場合に便利であると共に、高品質な大画面の画像を表示して多人数で観覧できるという効果を奏する。
【００３７】
図１０には、第２の実施例に係る携帯電話機１０Ａの構成図を示す。この実施例にあっては、第１のメモリ部１１以外に第２のメモリ部１２を設けている。第１のメモリ部１１には、端末表示部１６の表示用の表示データを記憶し、第２のメモリ部１２には、投影表示部１８による表示用のデータを記憶しておく。なお、この第１のメモリ部１１に記憶された端末表示部１６の表示用の表示データと、第２のメモリ部１２に記憶された投影表示部１８による表示用のデータとは、対応付けておいてもよい。これによれば、例えばＷｅｂブラウザがサーバから取り込んだ画像情報などであって、多画素数の画像とそのサムネイル画像とが対になって画像データとして得られる場合もあり、このような場合にこれらを制御部２０が有しているメモリテーブルにおいて対応付けておき、多画素数の画像を第２のメモリ部１２へ格納し、そのサムネイル画像を第１のメモリ部１１に格納しておき、表示の場合にメモリテーブルを用いて対応する画像データを読み出し、投影表示部１８による表示と端末表示部１６の表示に用いる。よって、この構成によれば、既に記憶された画像を表示する場合には、表示先毎に表示データが用意されているので、画像を表示しながら画素処理部１５が間引き処理を行うことなくスムーズな表示がなされる。これ以外の構成及び動作は、第１の実施例と同様である。
【００３８】
図１１には、第３の実施例に係る携帯電話機１０Ｂと、これに接続される投影部３０により構成されたシステムの構成例が示されている。この構成例では、光源部１７、投影表示部１８、光学レンズ１９が、携帯電話機１０Ｂとは別筐体に収容されている。投影部３０と携帯電話機１０Ｂとは、相互に一体的に結合する係止部を備えていても良い。制御部２０と投影表示部１８との接続は、有線ケーブルに限ることなく、無線電波やBluetoothなどによることも可能である。これ以外の構成は第１の実施例と同一である。このため、投影表示部１８による表示を多人数で見ながら、端末表示部１６における表示により投影表示部１８による表示画像の選択や説明をオペレータが行う場合に便利であると共に、高品質な大画面の画像を表示して多人数で観覧できるという効果を奏する。また、投影部３０を携帯電話機１０Ｂとは切り離した状態とできるので、投影部３０のみをスクリーン６０や投影用の壁へ向けて配置すれば良く、携帯電話機１０Ｂの位置を考慮する必要が少なくなり使い勝手が高まるものである。
【００３９】
図１２には、第４の実施例に係る携帯電話機１０Ｃと、これに接続される画像表示装置４０により構成されたシステムの構成例が示されている。携帯電話機１０Ｃにおいては、制御部２０にインタフェース２９が接続されており、制御部２０及びインタフェース２９は、端末表示部１６の画面より大画面で、且つ端末表示部１６の画面より多画素数で構成される画像を出力する画像出力手段を構成している。
【００４０】
一方、画像表示装置４０は、ＬＣＤなどの表示部４１と、表示部４１の制御を行う表示制御部４２と、携帯電話機１０Ｃ側から送られる画像情報を受け取るインタフェース４３とを備えるディスプレイ装置や、入力端子を備えるテレビ受像機である。そして、制御部２０及びインタフェース２９は、ＲＧＢなどの画像情報を出力するものであり、画像表示装置４０の表示部４１の仕様に対応する画面の画素数で構成される画像情報を出力するものである。インタフェース２９とインタフェース４３との接続は、有線ケーブルに限ることなく、無線によっても可能である。これ以外の構成は、第１の実施例と同じである。
【００４１】
以上の通りに構成されたシステムによれば、画像表示装置４０側に対しては、制御部２０及びインタフェース２９からＲＧＢなどの画像情報が送出され、この画像信号がインタフェース４３を介して表示制御部４２に受け取られ、表示データに変換されて表示部４１の表示制御がなされ、端末表示部１６の画面より大画面で、且つ端末表示部１６の画面より多画素数で構成される画像が表示部４１に写し出される。これにより、表示を多人数で見ながら、端末表示部１６における表示により表示部４１による表示画像の選択や説明をオペレータが行う場合に便利であると共に、高品質な大画面の画像を表示して多人数で観覧できるという効果を奏する。なお、この携帯電話機１０に備えられたインタフェース２９を、第１の実施例に備えさせ、投影表示部１８による表示が可能であると共に、外部に画像表示装置４０を接続可能な構成の携帯電話機とすることもできる。また、表示する画像情報は、静止画だけでなくもちろん動画であっても良い。
【００４２】
なお、以上の実施例では携帯端末装置として携帯電話機を例としたが、これに限定されることなく、ＰＤＡ、ノート型パソコン、携帯テレビジョン、ゲーム機等に本発明の構成を適用することが可能である。
【図面の簡単な説明】
【００４３】
【図１】本発明の第１の実施例に係る携帯電話機の構成を示すブロック図。
【図２】本発明の第１の実施例に係る携帯電話機の外観を示す斜視図。
【図３】本発明の第１の実施例に係る携帯電話機の動作を説明するためのフローチャート。
【図４】本発明の第１の実施例に係る携帯電話機の動作を説明するためのフローチャート。
【図５】本発明の第１の実施例に係る携帯電話機により端末表示部とスクリーンとに写し出される画像の例を示す図。
【図６】本発明の第１の実施例に係る携帯電話機により端末表示部とスクリーンとに写し出される画像の例を示す図。
【図７】本発明の第１の実施例に係る携帯電話機により端末表示部とスクリーンとに写し出される画像の例を示す図。
【図８】本発明の第１の実施例に係る携帯電話機により端末表示部とスクリーンとに写し出される画像の例を示す図。
【図９】本発明の第１の実施例に係る携帯電話機により端末表示部とスクリーンとに写し出される画像の例を示す図。
【図１０】本発明の第２の実施例に係る携帯電話機の構成を示すブロック図。
【図１１】本発明の第３の実施例に係る携帯電話機の構成を示すブロック図。
【図１２】本発明の第４の実施例に係る携帯電話機の構成を示すブロック図。
【図１３】従来例に係る携帯電話機により端末表示部とスクリーンとに写し出される画像の例を示す図。
【符号の説明】
【００４４】
１０、１０Ａ〜１０Ｃ  携帯電話機
１１  メモリ部
１２  第２のメモリ部
１３  キー操作部
１５  画像処理部
１６  端末表示部
１７  光源
１８  投影表示部
１９  光学レンズ
２０  制御部
２１  通話回路部
２２  無線通信部
２３  送話部
２４  受話部
２５  アンテナ
２７  テレビアンテナ
２８  ラジオ・テレビ受信部
２９、４３  インタフェース
３０  投影部
４０  画像表示装置
４１  表示部
４２  表示制御部
【図１】
2008098828.tif 000003
【図２】
2008098828.tif 000004
【図３】
2008098828.tif 000005
【図４】
2008098828.tif 000006
【図５】
2008098828.tif 000007
【図６】
2008098828.tif 000008
【図７】
2008098828.tif 000009
【図８】
2008098828.tif 000010
【図９】
2008098828.tif 000011
【図１０】
2008098828.tif 000012
【図１１】
2008098828.tif 000013
【図１２】
2008098828.tif 000014
【図１３】
2008098828.tif 000015